(57)【要約】【課題】ケースの底面に簡素化された仮置用の設置脚を備えたケース入り開閉器を提供してコストダウンと美観の向上を図る。【解決手段】底面に仮置用の設置脚を設けたケース入り柱上用開閉器であって、その四角形の底面の一辺側の中央部に位置してナットとボルトからなる気密検査用の呼吸栓を設け、さらに上記呼吸栓の位置に対向する位置の他辺側には該呼吸栓の高さに合せた細径の設置脚を地上等への仮置時に同開閉器のバランスが保たれるべく適宜離間して設けたことを特徴とするケース入り柱上用開閉器。【選択図】  図１
2005198455.tif 000002
【特許請求の範囲】
【請求項１】
底面に仮置用の設置脚を設けたケース入り柱上用開閉器であって、
その四角形の底面の一辺側の中央部に位置してナットとボルトからなる気密検査用の呼吸栓を設け、さらに上記呼吸栓の位置に対向する位置の他辺側には該呼吸栓の高さに合せた細径の設置脚を地上等への仮置時に同開閉器のバランスが保たれるべく適宜離間して設けたことを特徴とするケース入り柱上用開閉器。
【発明の詳細な説明】
【技術分野】
【０００１】
本願発明はケース入り柱上用開閉器の改良に係り、特にケースの底面に設けた仮置用の設置脚の簡素化構造に関するものである。
【背景技術】
【０００２】
高圧配電線路において線路の区分用、分岐用等に電柱上に取り付けて使用されるケース入り柱上用開閉器は、電柱上に取り付けられる前に、運搬や工事等の際に地面又は床面に一時的に仮置きされることがある。そのため仮置時に柱上用開閉器のケースの底面の塗装が傷ついたり剥がれたり底面が凹んだりしないように、対策としてケースの底面（蓋ケース）の４隅に位置して設置脚が設けられ、底面を同脚により設置面（地面或いは床面）から離間するようにしている。（例えば特許文献１参照。）
【０００３】
【特許文献１】実開昭５５−１０６９３８号公報（第３頁、第１図、第２図中の４）
【発明の開示】
【発明が解決しようとする課題】
【０００４】
しかしながら従来の設置脚は、例えば上記特許文献のケース入り高圧気中開閉器においても示すように、鉄板等を折曲或いは機械加工した後、底面に溶接固設していたためコスト高になるほか、幾つもの設置脚が下方へ大きく突出するためデザイン的にも好ましくなかった。
【課題を解決するための手段】
【０００５】
本件出願人は上記設置脚が、開閉器が電柱等に取り付けられるまでのものであって、取付終了後は特に役目を持たないことに鑑み、できるだけ簡素化してコストダウンを図ると共に従来通りの設置脚の機能を有する構成が望ましいと考えて今回提案するもので本願の発明は、底面に仮置用の設置脚を設けたケース入り柱上用開閉器であって、その四角形の底面の一辺側の中央部に位置してナットとボルトからなる気密検査用の呼吸栓を設け、さらに上記呼吸栓の位置に対向する位置の他辺側には該呼吸栓の高さに合せた細径の設置脚を地上への仮置時に同開閉器のバランスが保たれるべく適宜離間して設けたことを特徴とするケース入り柱上用開閉器を提案するものである。
【発明の効果】
【０００６】
本願発明の柱上用開閉器は以上の構成からなり、同開閉器を地面（床面）等に仮置きした場合にも底面に固設した上記構成の設置脚兼用の呼吸栓及び設置脚によりバランス良く置くことができるためケースの底面の塗装面を損傷させたり同面を変形させたりすることが無い。
【０００７】
また設置脚の１つをナットとボルトからなる呼吸栓で兼用したため構造が簡素化されると同時に取付後に不要となる設置脚を余計に設ける必要が無くコストダウンできる。
【０００８】
また、対向する位置に設けた他の２つの設置脚も細径部材で構成してコストダウンを図ると共にこれらを外観的にも目立たないようにしたためデザイン的にも好ましいものになった。
【発明を実施するための最良の形態】
【０００９】
本願発明の実施例に付きその構成について図１乃至図６に基づき具体的に説明する。
【実施例１】
【００１０】
図１は本願発明のケース入り柱上用開閉器１を示すもので、ケース２は本体ケース３と蓋ケース４とから構成されている。箱形の本体ケース３はケースの正面３ａ、背面３ｂと左側面３ｃ、右側面３ｄと上面３ｅとからなり、その下部の開口部には蓋ケース４がこれを塞ぐようにして溶接固着されている。この溶接された板状の蓋ケースがケースの底面４ａを構成する。
【００１１】
なお、特に図示しないがケースには周知の電極装置、消弧装置、開閉機構、絶縁部材、各種センサー等が適宜組み込まれている。
【００１２】
５は電路開閉用の操作ハンドル、６はブッシング、７はブッシングに貫通固着するリード線、１６はセンサーの検出信号を継電器等へ出力するための信号出力線を示す。
【００１３】
また、上記の如く４ａは底面（蓋ケース）であり、四角形の一辺４ｂ側の中央に位置してナット８、ボルト９からなる気密検査用の呼吸栓１０が設けられている。呼吸栓１０はナット８がそのネジ穴８ａがケース（底面４ａ）内外を貫通するようにして溶接固設されており、さらにこのナット８のネジ穴８ａに対し、シール用テープ等のシール材１１をそのネジ部或いは首部等に付着或いは介在せしめたボルト９をネジ着することで同穴の気密を保持するようにしたもので、ボルト９を外した状態でケース２の気密検査をした後、上記の如くボルト９をネジ着してケース２の気密を保持する構成である。
【００１４】
なお、呼吸栓１０は後述の設置脚１２、１３と共に設置脚を構成する。
１２、１３は、上記底面４ａの一辺４ｂ側に対向する他辺４ｃ側に位置して設けた細径棒状、細径パイプ状、小四角形等の比較的小さな断面積からなる短尺の設置脚であり、図１及び図３に示すように高さ（長さ）を上記呼吸栓１０の高さｈに合せると共に開閉器を地面や床面等の設置面に仮置した場合にバランス良く置く事ができるように適宜離間（本願実施例の設置脚の位置は呼吸栓の位置を頂点とした二等辺三角形の底辺の両端に位置）して底面４ａに溶接固着されている。
つまり、図１並びに図３に示すように開閉器を地上等に仮置きた場合に開閉器は、呼吸栓１０と２つの設置脚１２、１３の３点設置により安定して仮置される。
【００１５】
１４は電路開閉表示用の指針、３ｆ、３ｇは開閉器を電柱等に取り付ける際に使用するフック部であり、本体ケース３の正面３ａ並びに背面３ｂとそれぞれ一体的に形成されるもので、その上部側を上方に延長形成した部分にカギ状のフック３ｈと運搬用把手３ｉが設けられている。１５は電柱取付用の吊下金具を示す。
【産業上の利用可能性】
【００１６】
本願発明の設置脚の構成は、専ら高圧配電線路の区分用、分岐用等のケース入り柱上用開閉器に使用することで説明したが、このほか柱上で取り付けて使用する低圧用機器、測定用機器等ケース入りであってそのケースの底面に塗装が施してあるような柱上用機器に広く適用することが可能である。
【図面の簡単な説明】
【００１７】
【図１】地上等に仮置きした状態の本願発明のケース入り開閉器の正面図である。
【図２】本願発明のケース入り開閉器の背面図である。
【図３】蓋ケースの底面図である。
【図４】図３の側面図である。
【図５】ボルトのネジ着前の状態を示す呼吸栓の拡大断面図である。
【図６】同じくボルトをナットにネジ着した状態における呼吸栓の拡大断面図である。
【符号の説明】
【００１８】
１  ケース入り柱上用開閉器
２  ケース
３  本体ケース
４  蓋ケース
４ａ  底面
４ｂ  一辺
４ｃ  他辺
８  ナット
９  ボルト
１０  呼吸栓
１２、１３  設置脚
ｈ  高さ
【図１】
2005198455.tif 000003
【図２】
2005198455.tif 000004
【図３】
2005198455.tif 000005
【図４】
2005198455.tif 000006
【図５】
2005198455.tif 000007
【図６】
2005198455.tif 000008